(57)【要約】【課題】新たな発光素子および入力部を設けることなく、主装置に対する数値の入力を可能にする操作装置を提供する。【解決手段】プリンタ１の動作状態に応じて発光状態が変化する発光素子１０，１１と、  プリンタ１に数値を入力する数値入力モード時に、発光素子１０，１１のそれぞれの発光状態を設定する設定操作を受け付けるＣＰＵ５０と、  数値入力モード時に、「１０」，「５」，「１」のいずれかの重み付け値を発光素子１０，１１のそれぞれに選択的に割り当て、設定操作によって所定の点灯状態に設定された発光素子１０，１１の重み付け値の合計値を入力値としてプリンタ１に与える入力値決定手段と、を備えたことを特徴とする操作装置。【選択図】図９
2005238701.tif 000002
【特許請求の範囲】
【請求項１】
主装置の動作状態に応じて発光状態が変化する複数の発光素子と、
前記主装置に数値を入力する数値入力モード時に、前記複数の発光素子のそれぞれの発光状態を設定する設定操作を受け付ける受付手段と、
前記数値入力モード時に、少なくとも２種類以上の重み付け値を前記複数の発光素子のそれぞれに選択的に割り当て、前記設定操作によって所定の発光状態に設定された発光素子の重み付け値の合計値を入力値として前記主装置に与える入力値決定手段と、を備えたことを特徴とする操作装置。
【請求項２】
前記複数の発光素子は、同一の重み付け値が割り当てられるべき発光素子毎にレイアウトされることを特徴とする請求項１に記載の操作装置。
【請求項３】
前記発光素子は、第１の発光素子を４つ、および第２の発光素子を１つ含んでおり、
前記入力値決定手段は、前記第１の発光素子に重み付け値「１」を割り当て、前記第２の発光素子に重み付け値「５」を割り当てることを特徴とする請求項１または２に記載の操作装置。
【請求項４】
前記発光素子は、さらに第３の発光素子を少なくとも１つ含んでおり、
前記入力値決定手段は、前記第３の発光素子に重み付け値「１０」を割り当てることを特徴とする請求項３に記載の操作装置。
【請求項５】
前記受付手段は、前記発光素子の発光状態を選択および決定するため操作キーを含んでおり、
前記操作キーは、前記数値入力モード以外の動作モードにおいて、前記主装置に対するコマンド入力に用いる操作部を構成することを特徴とする請求項１〜４のいずれかに記載の操作装置。
【発明の詳細な説明】
【技術分野】
【０００１】
この発明は、主装置に対する入力操作を受け付ける入力部や主装置の動作状態を表示する表示部を備えた操作装置に関する。
【背景技術】
【０００２】
プリンタ等の主装置には操作パネル等の操作装置が設けられる。一般的な操作装置は、入力部と操作部とを備えている。このため、ユーザは操作装置の入力部を介して主装置にジョブコマンド等を入力し、表示部により主装置の動作状態を把握する。さらに、入力情報や表示情報の複雑化に伴い、近年の操作装置の中には、高解像度の液晶表示部を備えるものや、多くの操作キーを含むタッチパネルを備えるものもある。
【０００３】
ところが、入力部や操作部の構成が複雑になる程、操作装置の生産コストが上がる。また、主装置のコンパクト化を図るためには、操作装置における入力部や操作部の構成が簡素な方が望ましい。
【０００４】
そこで、従来技術の中には、複数の発光素子を用いて複写機のコピー枚数等を表示することで、構成の簡素化を図った表示装置があった（例えば、特許文献１参照。）。
【特許文献１】特開昭６０−１８７１２号公報
【発明の開示】
【発明が解決しようとする課題】
【０００５】
しかしながら、上述の特許文献１の表示装置では、数値を表すために多くの発光素子が別途必要になる。さらに、特許文献１を含む従来技術では、数値の入力にのみ用いる入力部を別途設ける必要がある。
【０００６】
この発明の目的は、新たな発光素子および入力部を設けることなく、主装置に対する数値の入力を可能にする操作装置を提供することである。
【課題を解決するための手段】
【０００７】
この発明は以下の構成を備えている。
【０００８】
（１）主装置の動作状態に応じて発光状態が変化する複数の発光素子と、
前記主装置に数値を入力する数値入力モードにおいて、前記複数の発光素子のそれぞれの発光状態を設定する設定操作を受け付ける受付手段と、
少なくとも２種類以上の重み付け値を前記複数の発光素子のそれぞれに選択的に割り当て、前記設定操作によって所定の発光状態に設定された発光素子の重み付け値の合計値を入力値として前記主装置に与える入力値決定手段と、を備えたことを特徴とする。
【０００９】
本発明に係る操作装置は、複数の発光素子、受付手段、および入力値設定手段を備えている。
【００１０】
複数の発光素子は、数値入力モード時以外において、主装置の動作状態を表示する表示部として機能する。数値入力モードにおいては、受付手段により、主装置の動作状態の如何にかかわらず各発光素子の発光状態が任意に設定される。この発光状態の設定は、主装置に対する通常操作に用いられる操作キーを介して行われる。
【００１１】
設定された各発光素子の発光状態は、入力値設定手段により、主装置に与えられるべき数値に変換される。具体的には、入力値設定手段は、各発光素子に重み付け値を割り当てているため、各発光素子に割り当てられた重み付け値と各発光素子が所定の発光状態であるか否かを検出することにより、主装置に与えられる数値が特定される。
【００１２】
例えば、所定の発光状態が「点灯状態」にされている条件のもとで、重み付け値「５」の発光素子１つと重み付け値「１」の発光素子が２つ点灯している場合、入力値決定手段は、５×１＋１×２＝７という演算を行い、主装置に入力数値「７」を与える。
【００１３】
（２）前記複数の発光素子は、同一の重み付け値が割り当てられるべき発光素子毎にレイアウトされることを特徴とする。
【００１４】
この請求項に係る操作装置は、同じ重み付け値が割り当てられた発光素子が並べて配置されたり、互いに近接するように配置される等、同じ重み付け値が割り当てられた発光素子を１つのまとまりにして複数の発光素子が配置される。また、このとき、必要に応じて割り当てられた重み付け値や入力数値を特定するための情報が各グループの発光素子に付される
（３）前記発光素子は、第１の発光素子を４つ、および第２の発光素子を１つ含んでおり、
前記入力値決定手段は、前記第１の発光素子に重み付け値「１」を割り当て、前記第２の発光素子に重み付け値「５」を割り当てることを特徴とする。
【００１５】
この請求項に係る操作装置は、少なくとも、「１」の重み付け値が割り当てられた発光素子を４つ、「５」の重み付け値が割り当てられた発光素子を１つ備えている。これら５つの発光素子の発光状態の組み合わせにより、０〜９までの数値が表現される。
【００１６】
（４）前記発光素子は、さらに第３の発光素子を少なくとも１つ含んでおり、
前記入力値決定手段は、前記第３の発光素子に重み付け値「１０」を割り当てることを特徴とする。
【００１７】
この請求項に係る操作装置は、少なくとも、「１」の重み付け値が割り当てられた発光素子を４つ、「５」の重み付け値が割り当てられた発光素子を１つ、「１０」の重み付け値が割り当てられた発光素子を１つ備えている。これら６つの発光素子の発光状態の組み合わせにより、０〜１９までの数値が表現される。
【００１８】
（５）前記受付手段は、前記発光素子の発光状態を選択および決定するため操作キーを含んでおり、
前記操作キーは、前記数値入力モード以外の動作モードにおいて、前記主装置に対するコマンド入力に用いる操作部を構成することを特徴とする。
【００１９】
この請求項に係る操作装置は、数値入力モード時以外には他の用途で使用されている操作キーが、数値入力モード時において数値の入力に使用される。つまり、数値の入力専用の操作キーを新設する必要がない。
【発明の効果】
【００２０】
この発明によれば、以下の効果を奏することができる。
【００２１】
（１）数値を表示する表示部を別途設けることを不要にできる。また、各発光素子に異なった重み付け値を割り当てているため、すべての発光素子が同一の重み付け値を有する構成に比較して、必要な発光素子の数を減少させることが可能になる。
【００２２】
（２）各発光素子の発光状態に基づいて、主装置への入力値を容易に把握することが可能になる。
【００２３】
（３）０〜９の範囲の入力数値を５つの発光素子で表すことができる。さらに、重み付け値が「１」および「５」であるため、各発光素子の発光状態から０〜９の範囲の入力数値を容易かつ迅速に把握することが可能になる。
【００２４】
（４）０〜１９の範囲の入力数値を６つの発光素子で表すことができる。さらに、重み付け値が「１」，「５」，「１０」のいずれかであるため、各発光素子の発光状態から０〜１９の範囲の入力数値を容易かつ迅速に把握することが可能になる。
【００２５】
（５）操作装置の構成の簡潔化および低コスト化を図ることが可能になる。
【発明を実施するための最良の形態】
【００２６】
以下、図を用いて本発明の操作装置が適用されるプリンタを説明する。以下の実施形態ではプリンタに操作装置が適用される例を説明するが、本発明の操作装置はプリンタ以外の主装置に適用することが可能である。
【００２７】
図１は、プリンタ１の外観構成の概略を示す斜視図である。本実施形態におけるプリンタ１は、主にハガキサイズの用紙に対してインクジェット方式のプリントを行う。
【００２８】
プリンタ１は、直方体形状を呈しており、前面側に排紙口３および画像入力部４の一部を構成するカードスロット、背面側に給紙トレイ２、上面側に操作部５がそれぞれ設けられている。
【００２９】
給紙トレイ２は、画像がプリントされる用紙が載置される。排紙口３は、画像がプリントされた用紙を、プリンタ１の外部に排出するための開口部である。カードスロットには、画像データが格納されたメモリカードが挿入される。
【００３０】
給紙トレイ２と排紙口３との間に、図示しない用紙搬送路が形成される。用紙搬送路は、給紙トレイ２からプリント部を経由して排紙口３の間に配置される。
【００３１】
図２は、本発明の操作装置を構成する操作部５の構成の概略を示す図である。操作部５のポイントは、数値の入力にのみ用いられる入力部や表示部を設けていないことである。操作部５は、動作状態またはプリント設定内容の切換・選択に用いるキー、および装置本体の動作状態またはプリント設定内容を示す複数の発光素子のみのシンプルな構成である。本発明では、以下に述べる手法により、この操作部５を用いて円滑な数値入力を実現している。以下、具体的に操作部５の特徴を説明する。
【００３２】
操作部５は、発光素子１０（１０Ａ〜１０Ｃ）、発光素子１１（１１Ａ〜１１Ｃ）、電源スイッチ１５、選択切換キー１２（１２Ａ，１２Ｂ）、解除キー１４、および印刷キー１３を備えている。
【００３３】
本実施形態では、発光素子１０（１０Ａ〜１０Ｃ）および発光素子１１（１１Ａ〜１１Ｃ）として発光ダイオード（ＬＥＤ）が使用されている。ただし、発光素子１０，１１はＬＥＤに限定されることはなく、単色または多色の光を発色するランプを用いることもできる。
【００３４】
発光素子１０（１０Ａ〜１０Ｃ）は、プリンタ１のプリントモードを示す。発光素子１０Ａの点灯はオールプリントモードを示す。発光素子１０Ｂの点灯は画像選択プリントモードを示す。発光素子１０Ｃの点灯はアライメントモードを示す。発光素子１１Ａの点灯はノーマルプリントモードを示す。発光素子１１Ｂの点灯は画質優先プリントモードを示す。発光素子１１Ｃの点灯は速度優先プリントモードを示す。
【００３５】
本実施形態では、発光素子１０（１０Ａ〜１０Ｃ）および発光素子１１（１１Ａ〜１１Ｃ）は、プリンタ１の動作状態に応じて発光状態が変化する本発明の複数の発光素子を構成する。
【００３６】
電源スイッチ１５は、プリンタ１のオン／オフを切り換えるために使用される。選択切換キー１２（１２Ａ，１２Ｂ）は、モードの切り換えや設定内容の切り換えを行うためのキーである。また、後述の数値入力モードにおいては、選択切換キー１２（１２Ａ，１２Ｂ）を介して入力される数値を増減させることができる。解除キー１４は、プリント動作の停止や選択内容のキャンセルを行うためのキーである。印刷キー１３は、プリント開始を指示するためのキーである。この印刷キー１３が押されると、設定内容に基づいてプリント処理やその他の処理が実行される。
【００３７】
図３は、プリンタ１の構成の概略を示すブロック図である。
【００３８】
プリンタ１は、ＣＰＵ５０、画像入力部４、操作部５、ＬＥＤ制御部５１、ＲＡＭ５２、ＲＯＭ５３、画像処理部５４、および記録部５５を備えており、それぞれバス６を介して接続されている。
【００３９】
ＬＥＤ制御部５１は、発光素子１０，１１の発光状態の制御を行う。本実施形態では、ＬＥＤ制御部５１は、発光素子１０，１１に対する電力供給のオン／オフを制御し、発光素子１０，１１の点灯／消灯の切換を行う。
【００４０】
ただし、発光状態の制御方法は本実施形態に限定されるものではなく、例えば、発光素子１０，１１を点灯／点滅／消灯の３段階で制御しても良い。この場合には、発光素子１０，１１に供給する電流値を制御して、発光素子１０，１１の消灯／点滅／点灯の切換がされる。また、発光素子１０，１１として多色に発光するランプが使用される場合にはＬＥＤ制御部５１によって、ランプの発色の制御が行われる。
【００４１】
画像入力部４は、外部から画像データを入力を受け付ける。本実施形態では、カードスロットに挿入されたメモリカードの記憶内容を読み取るカードリーダが画像入力部４に含まれる。また、パソコンからの画像データの入力を受け付けるためにＵＳＢインタフェースを画像入力部４に設けてもよい。
【００４２】
画像処理部５４は、画像入力部４を介して入力された画像データに対して、色変換処理、２値化処理、解像度変換処理等の各処理を実行する。
【００４３】
ＲＡＭ５２は、一時的にデータを記憶するための揮発性のメモリである。ここでは、ＲＡＭ５２は、主に画像入力部４から画像処理部５４を経由して記録部５５に画像データを受け渡すための作業バッファとして機能する。
【００４４】
ＲＯＭ５３は、各モード毎に異なる複数の制御用プログラムを格納している。この制御用プログラムがＣＰＵ５０に読み込まれることによりプリンタ１が各モードに応じた適正な動作をする。また、ＲＯＭ５３には、発光素子１０，１１の発光状態と入力数値との関係を示すルールテーブルが格納される。
【００４５】
記録部５５は、入力される画像データに基づいてインクジェット方式のプリント処理を行う。
【００４６】
ＣＰＵ５０は、ＲＯＭ５３に格納されたプログラムによって動作し、プリンタ１の各部を統括的に制御する。なお、本実施形態では、操作部５およびＣＰＵ５０によって本発明の受付手段が構成され、ＲＯＭ５３に格納されたルールテーブルおよびＣＰＵ５０によって本発明の入力値決定手段が構成される。
【００４７】
図４は、プリンタ１におけるプリントモードおよび優先モードの切換の説明図である。選択切換キー１２Ａを介する選択操作により、オールプリントモード、画像選択モード、またはアライメント設定モードのいずれかに設定される。一方、選択切換キー１２Ｂを介する選択操作により、速度優先モード、ノーマルモード、および画質優先モードのいずれかに設定される。
【００４８】
図５は、プリンタ１の起動時のＣＰＵ５０の動作手順を示すフローチャートである。
【００４９】
図５に示すように、プリンタ１の電源が投入されるとＣＰＵ５０はＲＯＭ５３に格納されているプログラムを読み込み、起動処理を開始する。まず最初に、ＣＰＵ５０は、発光素子１０Ａ〜１０Ｃおよび１１Ａ〜１１Ｃをすべて消灯させる（Ｓ１）。続いて、ＣＰＵ５０は、発光素子１０Ａおよび発光素子１１Ａを点灯させる（Ｓ２）。続いて、ＣＰＵ５０は、数値入力フラグをオフに設定する（Ｓ３）。ここで、数値入力フラグとは、プリンタ１が数値入力モードであるか否かを示すフラグであり、このフラグがオンのときにはプリンタ１は操作部５を介する数値の入力操作を受け付ける。すなわち、プリンタ１は、数値入力フラグは、プリンタ１が数値入力モードであるか否かを示している。上述のＳ１〜Ｓ３は、プリンタ１における起動処理として、電源投入時に行われる。
【００５０】
このように、プリンタ１は、ノーマルモードかつオールプリントモードに設定され、発光素子１０Ａおよび発光素子１１Ａが点灯する。このとき、選択切換キー１２Ａを押す毎に、プリンタ１の動作モードが図４中の矢印Ｘ１の方向に切り換わる。これに対して、選択切換キー１２Ｂを押す毎にプリンタ１の動作モードが図４中の矢印Ｘ２の方向に切り換わる。
【００５１】
オールプリントモードは、メモリカードに格納されているすべての画像についてプリントを行うモードである。画像選択プリントモードは、ある特定の画像を指定してプリントを行うモードである。すなわち、画像選択プリントモードでは、メモリカードに格納された特定の指定画像のみがプリントされる。アライメント設定モードでは、アライメント調整が実行される。
【００５２】
また、ノーマルモードでは、プリントスピードおよび画質が共に良好に保たれる。速度優先モードでは、画質よりもプリントスピードが優先される。このモードに設定するとノーマルモードに比べると画質はやや低下するが、高速にプリントされる。画質優先モードでは、プリントスピードよりも画質が優先される。このモードに設定するとノーマルモードに比べてプリントスピードがやや遅くなるが、高画質のプリント画像が得られる。
【００５３】
図６は、印刷キー１３が押された場合におけるＣＰＵ５０の動作手順を示すフローチャートである。
【００５４】
印刷キー１３が押されたことを検出すると、プリンタ１の動作モードを確認するために、ＣＰＵ５０は発光素子１０Ａ〜１０Ｃのいずれが点灯しているのかを判断する。まず、ＣＰＵ５０は、発光素子１０Ｃが発光しているか否かを判断する（Ｓ１１）。このとき、発光素子１０Ｃが発光している場合には、ＣＰＵ５０は、アライメント調整モードに移行する。
【００５５】
図７は、アライメント調整モードにおけるＣＰＵ５０の処理手順を示すフローチャートである。
【００５６】
アライメント調整とは、プリンタヘッドが右から左へ移動する場合と、左から右へ移動する場合での機構的な要因から発生する位置決め誤差を調整するものである。アライメント調整モードにおいてＣＰＵ５０は、まず、アライメント調整用の調整パターンの印刷を実行させる（Ｓ２１）。
【００５７】
図８は、調整パターン７Ａの構成を示す図である。調整パターン７Ａは、プリンタヘッドを右から左へ移動させながら印刷させたパターン、およびプリンタヘッドを左から右へ移動させながら印刷させたパターンからなる２つのパターンを少しずつ印刷位置をずらせて印刷してものである。このため、このパターンの中から、２つのパターンのズレが最小のものを選択し、それに対応する数値の入力を受け付ける。プリンタは入力された数値に基づいて印刷位置の補正を行う。
【００５８】
Ｓ２１のステップで調整パターンが印刷されると、ＣＰＵ５０は、発光素子１０，１１の点灯状態をＲＡＭ５２に記憶させ、続いて、ＣＰＵ５０は、発光素子１０，１１をすべて消灯させる（Ｓ２２）。
【００５９】
続いて、ＣＰＵ５０は、数値入力フラグをオンにする（Ｓ２３）。数値入力フラグがオンになると数値入力モードに移行する。続いて、ＣＰＵ５０は、数値入力処理を開始する（Ｓ２４）。Ｓ２４の数値入力ステップでは、発光素子１０，１１の発光状態を設定させ、設定された発光状態に基づいて入力されるべき数値が決定される。
【００６０】
数値入力フラグがオンの場合には、すわなち、数値入力モードにおいて、選択切換キー１２Ａ，１２Ｂは、発光素子１０，１１の発光状態を調整するために使用される。
【００６１】
図９は、発光素子１０，１１の発光状態と入力数値との関係を示した図である。本実施形態では数値入力モードに移行する際にすべての発光素子が消灯する。このため、同図に示すように、数値入力モードにおいて発光素子１０，１１はすべて消灯しているため、入力数値は０である。この状態で、選択切換キー１２Ａを一度押す毎に、入力数値は１，２，３，４，…，１５のように１ずつ増加する。これに対して、選択切換キー１２Ｂを一度押す毎に、入力数値が１５，１４，１３、…，０のように１ずつ減少する。なお、入力数値が１５のときに選択切換キー１２Ａが押されると入力数値が０になり、入力数値が０のときに選択切換キー１２Ｂが押されると入力数値が１５になる。なお、発光素子１０，１１の発光状態は、入力数値の増減に伴って逐次変化する。
【００６２】
ここで、本実施形態では発光素子１０Ａ〜１０Ｃ，１１Ａ〜１１Ｃには、それぞれ異なった重み付け値が割り当てられている。本実施形態では、発光素子１０Ａに「１０」の重み付け値が割り当てられており、発光素子１１Ａに「５」の重み付け値が割り当てられており、発光素子１０Ｂ，１０Ｃ，１１Ｂ，１１Ａに「１」の重み付け値が割り当てられている。入力数値は、所定の発光状態にある発光素子に割り当てられた重み付け値の和によって決定される。本実施形態では、点灯状態にある発光素子に割り当てられた重み付け値の和によって入力数値が決定される。
【００６３】
ただし、所定の発光状態は本実施形態に限定されることはなく、点滅状態にある発光素子に割り当てられた重み付け値の和や、所定の色の光を発している発光素子に割り当てられた重み付け値の和によって入力数値を決定しても良い。
【００６４】
さらに、入力数値を把握するために、各発光素子１０Ａ〜１０Ｃ，１１Ａ〜１１Ｃには、入力数値を把握するための情報が付されている。具体的には、発光素子１０Ａには「×１０」が付されており、発光素子１１Ａには「５」が付されており、発光素子１０Ｂには「４」が付されており、発光素子１１Ｂには「３」が付されており、発光素子１０Ｃには「２」が付されており、発光素子１１Ｃには「１」が付されている。
【００６５】
入力数値が１〜４の範囲では、発光素子１０Ｂ，１０Ｃ，１１Ｂ，１１Ｃのうち、点灯している発光素子の数が入力数値になる。ここでは、入力数値の把握の便宜を考慮して、入力数値が増加するにつれて、「１」が付された発光素子１１Ｃ、「２」が付された発光素子１０Ｃ、「３」が付された発光素子１１Ｂ、「４」が付された発光素子１０Ｂの順番に点灯する。
【００６６】
入力数値が５を越えると、「５」が付された発光素子１１Ａが点灯する。このため、発光素子１０Ｂ，１０Ｃ，１１Ｂ，１１Ｃの発光状態により把握される０〜４の数値に５を加算した数値が入力数値となる。
【００６７】
入力数値が１０を越えると、「×１」の数値が付された発光素子１０Ａが点灯する。この場合、発光素子１１Ａ，１０Ｂ，１０Ｃ，１１Ｂ，１１Ｃの発光状態によって把握される０〜９の数値に１０を加算した値が入力数値になる。
【００６８】
なお、５つの発光素子１１Ａ，１０Ｂ，１０Ｃ，１１Ｂ，１１Ｃにより０〜９の数値、すなわち１０進数の各桁の値を表現できる。このため、１０個の発光素子によって０〜９９の数値を表現することができ、１５の発光素子で０〜９９９の数値を表現することができる。
【００６９】
図１０は、発光素子１０，１１の発光状態の制御方法を示すルールテーブルである。このルールテーブルは、入力数値と発光素子１０，１１の消灯／点灯との関係を示している。このルールテーブルにおいて、「０」は消灯状態を示しており、「１」は発光状態を示している。
【００７０】
入力数値が「０」の場合には、すべて「０」になっており、ＣＰＵ５０が発光素子１０，１１をすべて消灯させるべきことを示している。反対に、発光素子１０，１１をすべて消灯している場合には、入力数値が「０」であると決定することになる。
【００７１】
また、入力数値が「１」の場合には、発光素子１１Ｃのみが点灯状態である。さらに、入力数値が「２」のときは、発光素子１０Ｃ，１１Ｃが発光状態であり、入力数値が「３」の場合には、発光素子１０Ｃ，１１Ｂ，１１Ｃが点灯状態である。このように、ＣＰＵ５０は、図１０に示すようなルールテーブルに基づいて発光素子１０，１１の発光状態の制御を実行する。
【００７２】
数値入力処理においてユーザは選択切換キー１２Ａ，１２Ｂを用いて発光素子の発光状態を切り換え、所望の入力数値を示す発光状態が得られたところで印刷キー１３を押す。また、アライメント調整の途中でキャンセルする場合には、ユーザは解除キー１４を押すと、プリンタ１がオールプリントモードに切り換わる。
【００７３】
数値入力処理においてＣＰＵ５０は、ユーザによる数値入力が終了するまで待機する（Ｓ２５）。このとき、ユーザによる数字入力が終了すると、ＣＰＵ５０は、 アライメント値の更新を実行する（Ｓ２６）。
【００７４】
続いて、ＣＰＵ５０は、数値入力フラグをオフに切り換える（Ｓ２７）。数値入力フラグがオフになると数値入力モードが解除され、選択切換キー１２Ａ，１２Ｂを介して数値入力ができなくなる。続いて、ＣＰＵ５０は、ＲＡＭ５２に記憶されている発光素子１０，１１の点灯状態に基づいて、発光素子１０，１１の発光状態を数値入力モードに移行する以前の状態に復帰させる（Ｓ２８）。その後、ＣＰＵ５０は、アライメント調整モードにおける動作を終了させる。
【００７５】
図６のＳ１１の判断ステップにおいて、発光素子１０Ｃが点灯していない場合には、ＣＰＵ５０は発光素子１０Ｂが点灯しているか否かを判断する（Ｓ１２）。このとき、発光素子１０Ｂが点灯している場合には、ＣＰＵ５０は、プリント画像選択モードに移行する（Ｓ１４）。
【００７６】
図１１は、プリント画像選択モードにおけるＣＰＵ５０の処理手順を示すフローチャートである。プリント画像選択モードにおいて、ＣＰＵ５０は、記録部５５に印刷インデックスプリントを実行させる（Ｓ３１）。インデックスプリントは、メモリカードに記憶されている画像に基づいて作成される複数のインデックス画像を単一の用紙にプリントしてインデックスシート７Ｂを作成する処理である。
【００７７】
図１２は、インデックスシート７Ｂの構成の一例を示す図である。本実施形態では、原則として、１６個のインデックス画像が１つのインデックスシート７Ｂ上に印刷される。ただし、メモリカードに１７個以上の画像が記録されている場合には、複数枚のインデックスシート７Ｂに分けてインデックス画像のプリントが実行される。この場合には、１枚のインデックスシート７Ｂには１５のインデックス画像と、次のインデックスシート７Ｂをプリントするコマンド入力になる「ＮＥＸＴ」が付された画像とがプリントされる。
【００７８】
インデックス画像のプリントが終了すると、続いて、ＣＰＵ５０は、発光素子１０，１１の発光状態をＲＡＭ５２に記憶する。続いて、入力数値を０に設定するためにＣＰＵ５０は、発光素子１０，１１をすべて消灯させる（Ｓ３２）。続いて、ＣＰＵ５０は、数値入力フラグをオンにする。
【００７９】
数値入力フラグがオンになり数値入力モードになると、数値の入力を目的とする発光素子１０，１１の発光状態の選択操作が受け付けられる。ユーザは、インデックスシート７Ｂのインデックス画像に付された数値を入力することにより、所望の画像を選択することが可能になる。
【００８０】
なお、Ｓ３４の数値入力ステップは上述のＳ２４における数値入力ステップと同じである。ＣＰＵ５０は、ユーザによる数値入力が終了するまで待機する（Ｓ３５）。ユーザによる数値入力はユーザが任意の発光状態を選択して印刷キー１３を押したときに終了する。
【００８１】
ＣＰＵ５０は、印刷キー１３が押されると、上述のルールテーブルを用いて選択された発光パターンが示す数値を決定し、この数値に基づいて選択されたプリント画像を記録部５５にプリントさせる（Ｓ３６）。
【００８２】
続いて、ＣＰＵ５０は、さらに選択されるべき画像が有るか否かを判断する（Ｓ３７）。このＳ３７のステップは、ユーザから解除キー１４の入力があったか否かに基づいて判断される。すなわち、ＣＰＵ５０は、解除キー１４の入力がない場合には、さらに選択されるべき画像があるとしてＳ３４の数値入力ステップに移行する。
【００８３】
一方、Ｓ３７の判断ステップにおいて解除キー１４の入力がされた場合には、ＣＰＵ５０は、プリント画像の選択処理を終了させるために、数値入力フラグをオフに切り換える（Ｓ３８）。数値入力フラグをオフになることにより数値入力モードが解除される。
【００８４】
続いて、ＣＰＵ５０は、ＲＡＭ５２の記憶内容に基づいて、発光素子１０，１１の点灯状態を数値入力モードに移行する以前の状態に復帰させる（Ｓ３９）。
【００８５】
続いて、ＣＰＵ５０は、 プリント画像選択モードでの動作を終了する。
【００８６】
図６のＳ１２の判断ステップにおいて、発光素子１０Ｂが点灯していない場合には、ＣＰＵ５０は、発光素子１０Ａが点灯しているものと判断する。すわなち、オールプリントモードの動作を開始する。オールプリントモードでは、ＣＰＵ５０は、メモリカードに記録されている画像データのすべてを記録部５５にプリントさせる。
【００８７】
プリントが終了するとＣＰＵ５０は、再度待機状態になる。
【００８８】
以上のように、本実施形態によれば、新たに操作キーや表示部を設けることなく、０〜１９の範囲の数値入力が可能なる。このとき、それぞれの発光素子１０，１１に割り当てられた重み付け値「１０」，「５」，「１」を把握しやすいように操作部が構成されているため、数値入力においてユーザが入力値を誤りにくい。
【００８９】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００９０】
【図１】プリンタの外観構成の概略を示す斜視図である。
【図２】操作部の構成の概略を示す図である。
【図３】プリンタの概略構成を示すブロック図である。
【図４】プリンタのモード切換方法の一例を示す図である。
【図５】プリンタの起動時におけるＣＰＵの動作手順を示すフローチャートである。
【図６】印刷キーが押された時におけるＣＰＵの動作手順を示すフローチャートである。
【図７】アライメント調整モードにおけるＣＰＵの動作手順を示すフローチャートである。
【図８】アライメント調整用のパターンを示すフローチャートである。
【図９】発光素子の発光状態と入力数値との関係を示す図である。
【図１０】発光素子の点灯状態の制御方法を示すルールテーブルである。
【図１１】プリント画像選択モードにおけるＣＰＵの動作手順を示すフローチャートである。
【図１２】プリント画像選択モード時に作成されるインデックスシートの構成を示す図である。
【符号の説明】
【００９１】
１−プリンタ
２−給紙トレイ
３−排紙口
４−画像入力部
５−操作部
１０，１１−発光素子
１２（１２Ａ，１２Ｂ）−選択切換キー
１３−印刷キー
１４−解除キー
１５−電源キー
５０−ＣＰＵ
５１−ＬＥＤ制御部
５５−記録部
【図１】
2005238701.tif 000003
【図２】
2005238701.tif 000004
【図３】
2005238701.tif 000005
【図４】
2005238701.tif 000006
【図５】
2005238701.tif 000007
【図６】
2005238701.tif 000008
【図７】
2005238701.tif 000009
【図８】
2005238701.tif 000010
【図９】
2005238701.tif 000011
【図１０】
2005238701.tif 000012
【図１１】
2005238701.tif 000013
【図１２】
2005238701.tif 000014